(57)【要約】【課題】装置が傾いて取り付けられた場合であっても、薬液をプレート上に適切に供給することが可能な薬液供給装置を提供する。【解決手段】本発明は、水洗トイレにおける便器のリムに取り付けられる薬液供給装置であって、薬液を収容し、当該薬液の排出口を有する薬液容器と、排出口に接続され、前記薬液容器内の薬液を外部へと導く薬液排出機構と、薬液排出機構から排出された薬液を、便器内を流れる流水と接触可能に支持する支持部材と、薬液容器、薬剤排出機構、及び前記支持部材を便器のリムに吊り掛けるための吊掛部材と、を備え、薬液排出機構は、支持部材に向けて開口し、薬液を排出する流出孔と、流出孔の開口周縁の少なくとも一部を囲む周壁と、を備え、周壁は、少なくとも支持部材とは反対側に設けられている。【選択図】図２
2010084449.tif 000002
【特許請求の範囲】
【請求項１】
水洗トイレにおける便器のリムに取り付けられる薬液供給装置であって、
薬液を収容し、当該薬液の排出口を有する薬液容器と、
前記排出口に接続され、前記薬液容器内の薬液を外部へと導く薬液排出機構と、
前記薬液排出機構から排出された薬液を、便器内を流れる流水と接触可能に支持する支持部材と、
前記薬液容器、薬剤排出機構、及び前記支持部材を便器のリムに吊り掛けるための吊掛部材と、を備え、
前記薬液排出機構は、
前記支持部材に向けて開口し、薬液を排出する流出孔と、
前記流出孔の開口周縁の少なくとも一部を囲む周壁と、を備え、
前記周壁は、少なくとも前記リム側とは反対側に設けられている、薬液供給装置。
【請求項２】
前記流出孔から排出された薬液が供給され、前記支持部材側に突出するとともに、前記支持部材の面方向に延びる少なくとも一つの突条部をさらに備えている請求項１に記載の薬液供給装置。
【請求項３】
前記周壁は、さらに前記リム側に設けられ、
前記突条部が前記リム側に設けられた周壁と連続している、請求項２に記載の薬液供給装置。
【請求項４】
前記突条部には複数の溝が形成されている、請求項２または３に記載の薬液供給装置。
【請求項５】
前記リム側に設けられた周壁、及び突条部の少なくとも一方に複数の溝が形成されている、請求項３に記載の薬液供給装置。
【請求項６】
前記支持部材には、前記リム側に向かう薬液の流通経路の一部に、薬液の流通を規制する規制壁が設けられている、請求項１から５のいずれかに記載の薬液供給装置。
【請求項７】
前記薬液排出機構は、
薬液を前記薬液容器側から下方へ案内する案内路と、
前記案内路に連通し、当該案内路から略水平方向に延びる少なくとも一つの延長路と、
さらに備えている、請求項１から６のいずれかに記載の薬液供給装置。
【発明の詳細な説明】
【技術分野】
【０００１】
本発明は、便器のリムに取り付けられ、便器を洗浄する薬液を供給する薬液供給装置に関する。
【背景技術】
【０００２】
便器を洗浄したり、芳香効果を得るための薬液供給装置は、取付対象となる便器のタイプによって種々のものが提案されている。例えば、貯水タンクを有するタイプに対しては、タンク上部の手洗い部に配置される薬液供給装置が提案されており、この装置は、手洗い部に供給される水とともに、貯水タンク内に薬液を供給するように構成されている。
【０００３】
一方、タンク上部に手洗い部がないものや、貯水タンク自体を設けないタイプの便器も販売されており、これに対しては、便器のリムに直接取り付ける薬液供給装置が提案されている。例えば、特許文献１に記載の薬液供給装置は、便器のリムに吊り掛けられるように薬液容器を設け、その下方に薬液を受けるプレートを取り付けている。そして、薬液容器から排出孔を介してプレート上に供給される薬液を、流水によってさらうことで、便器の内壁面に薬液を供給している。これによって、便器が洗浄されるとともに、薬液に含まれる芳香剤により、芳香効果も得ることができる。
【特許文献１】特表２００３−５１７１２４号公報
【発明の開示】
【発明が解決しようとする課題】
【０００４】
ところで、上記薬液供給装置は、薬液容器から排出された薬液が排出孔を介して直接プレート上へ流れ落ち、リム側へ流れるように構成されている。しかしながら、例えば、装置においてリム側とは反対側の端部が下方に傾いた状態で取り付けられると、薬液がリム側とは反対側に流れ出し、プレート上に適切に薬液を供給できないおそれがある。これによって、流水により、適量の薬液をさらうことができない可能性がある。
【０００５】
本発明は、上記問題を解決するためになされたものであり、装置が傾いて取り付けられた場合であっても、薬液をプレート上に適切に供給することが可能な薬液供給装置を提供することを目的とする。
【課題を解決するための手段】
【０００６】
本発明は、水洗トイレにおける便器のリムに取り付けられる薬液供給装置であって、薬液を収容し、当該薬液の排出口を有する薬液容器と、前記排出口に接続され、前記薬液容器内の薬液を外部へと導く薬液排出機構と、前記薬液排出機構から排出された薬液を、便器内を流れる流水と接触可能に支持する支持部材と、前記薬液容器、薬剤排出機構、及び前記支持部材を便器のリムに吊り掛けるための吊掛部材と、を備え、前記薬液排出機構は、前記支持部材に向けて開口し、薬液を排出する流出孔と、前記流出孔の開口周縁の少なくとも一部を囲む周壁と、を備え、前記周壁は、少なくとも前記リム側とは反対側に設けられている。
【０００７】
この構成によれば、薬液を排出する流出孔の周縁において、リム側とは反対側に周壁を設けているため、装置が傾いて配置された場合であっても、周壁によって、薬液がリム側とは反対側に流れるのを防止することができる。これにより、薬液はリム側に流れやすくなり、支持部材上に薬液を適切に供給することができる。
【０００８】
上記装置において、流出孔から排出された薬液が供給され、支持部材側に突出するとともに、支持部材の面方向に延びる少なくとも一つの突条部をさらに設けることができる。
【０００９】
この構成によれば、流出孔から排出された薬液が、支持部材の面方向へ延びる少なくとも一つの突条部に供給されるように構成されているため、薬液は突条部を伝って、支持部材の面方向に広がっていく。したがって、簡易な構造で薬液を確実に広範囲に行き渡らせることができる。また、薬液を流すために、支持部材には適切な傾斜を設けることが好ましいところ、このような傾斜を設けるには、装置全体の設計を考慮しなければならないが、本発明のように、突条部によって薬液を流すようにすれば、例えば、突条部だけに傾斜を設けることができ、こうすることで、簡易に薬液の流れを形成することができる。その結果、設計が簡易になる。
【００１０】
ここで、周壁が、さらにリム側に設けられた場合、突条部をリム側に設けられた周壁と連続させることが好ましい。これにより、流出孔から排出された薬液は、周壁を伝って突条部に供給される。そのため、薬液を支持部材の面方向にスムーズに拡げることができる。
【００１１】
また、突条部には複数の溝を形成することができる。突条部に溝を形成すると、薬液が突条部に保持されやすくなり、より多くの薬液を支持部材側へ供給することができる。また、リム側に周壁を設ける場合、この周壁にも溝を設けることができる。ここで、溝の向きは、種々の方向にすることができるが、例えば、下方に向かうように形成することができる。ここでいう「下方」とは、例えば、鉛直下向き、またはリム側に向かって斜め下方に延びる向きをいう。これにより、薬液の下向きの流れが加速され、支持部材側へ薬液を多く供給することができる。
【００１２】
また、支持部材において、リム側に向かう薬液の流通経路の一部に、薬液の流通を規制する規制壁を設けることができる。これにより、リム側に向かう薬液の流路が規制されるため、薬液が過剰に流れ出すのを防止することができる。その結果、薬液が早期に使い切られるのを防止することができる。
【００１３】
また、薬液排出機構に、薬液を前記薬液容器側から下方へ案内する案内路と、案内路に連通し、当該案内路から略水平方向に延びる少なくとも一つの延長路と、を設けることができる。
【００１４】
この構成によれば、薬液容器から支持部材に至る薬液の経路に、下方へ延びる案内路及び略水平に延びる延長路を設けている。そのため、支持部材上に流れ込んだ流水は、その上方の流出孔に入った後、水平に延びる延長路を通過し、さらに上方に延びる案内路を経なければ、薬液容器には到達しない。したがって、支持部材から薬液容器へ至る上向きの経路の中に、水平に延びる経路を配置しているので、水が進入しにくくなり、その結果、薬液容器内への流水の進入を確実に防止することができる。
【発明の効果】
【００１５】
本発明に係る薬液供給装置によれば、装置が傾いて取り付けられた場合であっても、薬液を支持部材上に適切に供給することができる。
【発明を実施するための最良の形態】
【００１６】
以下、本発明に係る薬液供給装置の一実施形態について図面を参照しつつ説明する。図１は本実施形態に係る薬液供給装置の斜視図、図２は図１の断面図、図３は図２のＡ−Ａ線における図１の断面図、図４は図１の平面図、図５は図１の分解斜視図である。
【００１７】
この薬液供給装置は、便器のリムに吊り掛けて使用されるものであり、図１〜図５に示すように、薬液が収容された薬液容器１と、これを下方から支持する装置本体２と、装置をリムに吊り掛けるための吊掛部材３とを有している。また、装置本体２の内部には、薬液容器１から流れ出た薬液を装置本体２の底面へと供給する薬液排出機構４が配置されている。以下、上述した各部材をさらに詳細に説明する。
【００１８】
図５に示すように、薬液容器１は、透明のドーム状に形成され、下面に排出口１１を有している。そして、この排出口１１には、キャップ１３が取り付けられている。このキャップ１３は、環状の本体部１３１と、その中央の穴を塞ぐ薄膜部１３２とで構成されており、使用に際しては、薄膜部１３２を破断させて薬液を排出させる。
【００１９】
図４及び図５に示すように、装置本体２は、底面を構成する支持プレート（支持部材）２１と、その周囲を囲む壁体２２とを有している。支持プレート２１は、平面視略矩形状の基部２１１と、その一辺に揺動自在に連結された可動部２１２とで構成されており、可動部２１２が設けられている辺以外の３辺に、上述した壁体２２がコ字状に設けられている。したがって、装置本体２は、一辺の壁が切り欠かれて開放するカップ状に形成されており、この開放部分２３から基部２１１の一部及び可動部２１２が突出するように構成されている。そして、後述するように、この開放部分２３から装置本体２内に流水が流れ込むようになっている。
【００２０】
また、基部２１１の中央には、上方へ延びる支柱２４が取り付けられており、この支柱２４と後述するカバー部材４１１との間の空間に、吊掛部材３が上下動可能に取り付けられている。吊掛部材３は、弾性変形可能に２箇所で折り曲げられた帯状に形成されており、初期状態では、図１のように折り畳まれている。また、吊掛部材３は、上下動可能に構成されているため、装置とリムとが干渉しないように、リムに対する薬液容器１及び装置本体２の高さを調整することができる。
【００２１】
次に、支持プレート２１についてさらに詳細に説明する。図２に示すように、本実施形態の支持プレート２１においては、基部２１１と可動部２１２とが樹脂などで一体的に形成されており、基部２１１が可動部２１２側に向かって約６度で下方に傾斜している。これにより、後述するように、排出された薬液がリム側へ流れやすいようにしている。基部２１１の傾斜角度αは、これ以外に設定することも可能であり、例えば、０〜４５度にすることができ、３〜３０度であることが好ましい。
【００２２】
そして、支持プレート２１の裏面には、基部２１１と可動部２１２との境界線に沿って溝２１３が形成されている。したがって、この溝２１３によって基部２１１と可動部２１２との境界が薄膜状になるため、可動部２１２が基部２１１に対して揺動可能となっている。また、溝２１３は支持プレート２１の裏面に形成されているため、可動部２１２を下方に傾斜させようとすると、溝２１３において対向する側壁面同士が当接し、これによって下方への傾斜が規制される（図２（ａ））。一方、上方への傾斜も可能であり、力を付与すれば、可動部２１２を上方へ揺動させることができる。但し、上方への傾斜も次のように規制されている。図１及び図２に示すように、基部２１１の両側には、略矩形状の側板２１４が取り付けられており、この側板２１４において、可動部２１２側を向く垂直に延びる端面が、可動部２１２と当接可能となっている。すなわち、可動部２１２を、傾斜角βが９０度以上に傾斜させようとすると、側板２１４の端面と可動部２１２とが接触し、可動部２１２がそれ以上傾斜しないようになっている（図２（ｂ））。なお、初期状態では、可動部２１２は基部２１１に対して、約３０°の傾斜角度βで上方に傾斜しており、この状態から境界部分の弾性変形によって、基部２１１に対し約０〜９０°程度の範囲で傾斜が可能となっている。以上のように構成された装置本体２には、基部２１１の周縁、壁体２２に複数の流水孔２５が形成されており、開放部分２３から流入した流水がこれら流水孔２５を介して、装置本体２から排出されるようになっている（図１及び図５参照）。
【００２３】
続いて、薬液排出機構４について説明する。図２〜図５に示すように、薬液排出機構４は、薬液容器１と支持プレート２１との間に配置されており、上側に配置される上部材４１と、下側に配置される下部材４２とで構成されている。上部材４１は、平面視楕円型の筒状に形成されており、下方が開放している。一方、下部材４２は、平面視楕円状の板状部４２１と、その周囲に上下方向に延びるように形成された低い壁部材４２３とで構成されており、上部材４１の下部開口を塞ぐように配置される。そして、上部材４１と下部材４２とが組み合わされることで、両者の間には、薬液を保持する緩衝空間４３が形成される。以下、上部材４１及び下部材４２についてさらに詳細に説明する。
【００２４】
図２及び図５に示すように、上部材４１の側面には、上方に延びるレール状のカバー部材４１１が取り付けられており、このカバー部材４１１は、上述した通り、支柱２４に当接し、吊掛部材３を収容する空間を形成する。また、上部材４１の上面中央部には、先端が斜めに切りかかれて鋭利な円筒状の連通管４１２が設けられるとともに、上面の端部には合計４つの空気流出孔４１３が形成されている。連通管４１２は、上述した薬液容器１のキャップ１３に突き刺され、薄膜部１３２を破断させる役割を果たす。また、連通管４１２の周縁には、環状の溝４１７が形成されており、この溝４１３にキャップ１３の本体部１３１が嵌るようになっている。一方、図２に示すように、連通管４１２の内部底面には、下部材４２側へ延びる円筒状の固定管４１４と、その近傍に配置された複数の薬液連通孔４１５とが形成されている。そして、これら薬液連通孔４１５と、上述した空気流出孔４１３とは、緩衝空間４３と連通している。
【００２５】
続いて、下部材４２について図６及び図７も合わせて説明する。図６は下部材の下面からの見た斜視図（ａ）、平面図（ｂ）、正面図（ｃ）、及び底面図（ｄ）、図７は下部材の一部斜視図（ａ）及びそのＢ−Ｂ線断面図（ｂ）ある。まず、図５に示すように、下部材４２の中央には、上部材４１の固定管４１４に嵌合する円筒状の案内管４２４と、その周囲を囲むように設けられた円形の固定壁４２５とが設けられている。そして、案内管４２４と固定壁４２５との間の隙間には、上述した固定管４１４が嵌るようになっている。案内管４２４の上部開口は、斜めに切り取られた形状となっており、その開口の低い側から案内管４２４の外周面に沿って上下方向に延びる案内溝４２６が形成されている。ここで、図６及び図７に示すように、案内管４２４は固定管４１４の内部に嵌っているため、固定管４１４の内壁面と、案内溝４２６とで薬液の通路（案内路）が形成される。また、案内管４２４と固定壁４２５との隙間の底面と、固定管４１４の下端部との隙間にも薬液が通過する空間、つまり延長路４２７が形成される。より詳細に説明すると、上記隙間の底面においては、案内溝４２６の両側の各約９０度が薬液の延長路４２７を構成するとともに、案内溝４２６とは反対側には、約１８０度に亘る半円形の流出孔４２８が形成されている。そして、延長路４２７を通過した薬液が流出孔４２８から支持プレート２１側へ流れ出るようになっている。なお、各延長路４２７の容積は、０．０５〜０．３ｍｍ３であることが好ましく、０．０７〜０．１５ｍｍ３であることがさらに好ましい。また、延長路４２７の断面積は、０．０２〜０．１ｍｍ２であることが好ましく、０．０３〜０．０５ｍｍ２であることがさらに好ましい。
【００２６】
図６に示すように、下部材４２における壁部材４２３の下端の両端には、一対の脚部４２９が取り付けられており、この脚部４２９によって下部材４２の下面と、支持プレート２１との間に空間が形成される。この空間が後述するように、薬液及び流水の通路となる。また、下部材４２の下面には、上述した流出孔４２８の両端を結ぶ第１周壁４３１と、この第１周壁４３１の両端から延びる一対の突条部４３２とが形成されている。そして、各突条部４３２は、互いに離間するように、可動部２１２側へ斜め方向に延びるとともに、図６（ｃ）に示すように、先端にいくにしたがって、下部材４２下面からの突出高さが大きくなっている。すなわち、図２に示すように、各突条部４３２は、先端にいくにしたがって、支持プレート２１との隙間が小さくなっていき、最も先端では、支持プレート２１と接触している。そして、この突条部４３２には、図６（ａ）に示すように、下向きに延びる複数の溝が形成されている。また、流出孔４２８を挟んで第１周壁４３１とは反対側には円弧状の第２周壁４３５が設けられている。
【００２７】
次に、上記のように構成された薬液供給装置の使用方法について図８も参照しつつ説明する。図８は薬液供給装置の取り付け状態を示す側面図である。まず、薬液容器１を上部材４１上に配置する。これにより、薬液容器１のキャップ１３に連通管４１２が突き刺さり、薬液容器１が固定される。続いて、この装置を便器のリムに取り付ける際には、吊掛部材３を、支柱２４から引き出して高さを調整しつつ、図１の状態からコ字状に押し広げる。そして、図８（ａ）に示すように、リムＲを挟むように配置する。このとき、可動部２１２は、便器の内壁面に当接するのであるが、基部２１１に対して揺動可能となっているため、基部２１１と便器内壁面Ｓとの距離に応じて、傾斜する。すなわち、図８（ａ）に示すように基部２１１と便器内壁面Ｓとの距離が小さい場合、可動部２１２は、便器内壁面Ｓに押しつけられながら、大きく傾斜し、便器内壁面Ｓとの隙間を埋める。一方、距離が大きい場合には、図８（ｂ）に示すように、傾斜角βは小さくなるが、いずれの場合でも、基部２１１と便器内壁面Ｓとの隙間は埋められる。その結果、基部２１１に流れ出た薬液を効率よくさらって、便器へ流すことができるため、便器の形状にかかわらず、優れた洗浄効果を得ることができる。
【００２８】
続いて、薬液の流れについて説明する。連通管４１２によりキャップ１３の薄膜部１３２が破断されると、薬液は、薬液容器１から薬液排出機構４へと流れ出て、一部は連通管４１２及び薬液連通孔４１５を介して緩衝空間４３内に流れ込む。一方、残りの薬液は、図６及び図７に示すように、案内溝４２６を通過して下方へ流れた後、延長路４２７及び流出孔４２８を介して下部材４２の下面側に流れ出る。そして、この薬液は、第１周壁４３１及び突条部４３２を伝って、可動部２１２側へ移動し、支持プレート２１と突条部４３２との接触部分において、支持プレート２１上へ移る。支持プレート２１の基部２１１は、やや下方に傾斜しているので、薬液は下方へ流れ、可動部２１２との境界部分に蓄積される。このとき、薬液に含まれる芳香剤が揮散し、芳香効果が得られる。
【００２９】
ここで、上述した緩衝空間４３の機能について説明する。この緩衝空間４３は、温度変化によって薬液容器１内に圧力変化が生じた場合の緩衝作用をなす。例えば、温度が上昇して薬液容器１が暖められた場合には、容器１内の空気が膨張し容器１内部は正圧になる。この場合、薬液容器１内の薬液は押し出されて排出されるが、この薬液は案内溝４２６のほか、薬液連通孔４１５を介して緩衝空間４３内にも流れ込むため、薬液が案内溝４２６から過剰に流出されるのが防止される。一方、流水によって冷やされるなどして薬液容器１の温度が低下し、薬液容器１内の空気が収縮して負圧になると、薬液は、空気流出孔４１３を介して空気の圧力が作用している緩衝空間４３から薬液連通孔４１５を介して薬液容器１内に吸い込まれる。その結果、装置本体側に流入してきた水の薬液容器への吸い上げや薬液の排出が制限されるのを防止することができる。このように、緩衝空間４３は、温度変化によって薬液容器１内に圧力変化が生じた場合であっても、ほとんどの薬液が薬液容器１と緩衝空間４３との間で流通するため、容器１内の薬液が過剰に流出したり、或いは流出が制限されるのを防止することができる。
【００３０】
上記のように装置が設置された後、便器内に水が流されると、流された水は、図８に示すように、リムＲの内側から便器内壁面Ｓを伝い、可動部２１２によって基部２１１側へ案内される（矢印Ｘ）。そして、基部２１１と可動部２１２との境界部分に貯まった薬液をさらいつつ、流水孔２５から外部へ流れ出したり、或いは、装置内で壁体２２などにぶつかりながら跳ね返り、開放部分２３から装置の外部へ流れ出す。こうして、薬液は流水とともに、便器内壁面Ｓに供給され、便器の清浄が行われる。
【００３１】
以上のように、本実施形態によれば、薬液を排出する流出孔４２８の周縁において、リム側とは反対側に第２周壁４３５を設けているため、装置が傾いて配置された場合であっても、第２周壁４３５によって、薬液がリム側とは反対側に流れるのを防止することができる。これにより、薬液はリム側に流れやすくなり、支持プレート２１上に薬液を適切に供給することができる。また、リム側に向かう薬液は突条部４３２に供給されるが、突条部４３２には複数の溝が形成されているため、薬液を保持しやすく、これによってより多くの薬液を支持プレート２１に供給することができる。
【００３２】
上述した第２周壁４３５は、例えば、鉛直方向への１〜１０ｍｍの高さにすることが好ましい。これは、１ｍｍより小さいと、装置が傾いて取り付けられた場合、その傾きが大きすぎると、薬液の流出を防止できないからである。一方、１０ｍｍより大きいと、容器が大きくなるおそれがあることによる。また、第２周壁４３５は種々の形状にすることができるが、例えば、図９に示すように、縦断面が、四角形（ａ）、三角形（ｂ）、及び五角形（ｃ）などの鋭利な角を有する断面多角形状にすると、薬液の流出を防止することができる。但し、断面が多角形状でなくても図９（ｄ）に示すように、下端部にリム側を向く突出部を設けると、薬液の流出を防止することができる。また、第１周壁４３１の形状も特には限定されないが、突条部４３２に対して薬液を供給できるように、鉛直下向きの部位が設けられていればよい。
【００３３】
また、上記実施形態では、装置内に流入した流水が、薬液容器１内に流入するのを以下のように防止している。すなわち、本実施形態に係る装置では、薬液は、案内溝４２６及び延長路４２７を介して支持プレート２１上に流れ出る。特に、延長路４２７は水平に延びているため、第１周壁４３１及び突条部４３２を介して上方に流れた水は、一旦水平に延びる延長路４２７を通過した後、さらに垂直に延びる案内溝４２６を通過しなければ、薬液容器１には到達しない。したがって、この装置では、支持プレート２１から薬液容器１に至る垂直方向の経路の中に水平に延びる経路を配置しているので、水の進入を防止することができる。
【００３４】
また、下部材４２の下方に延びる壁部材４２３は、流出孔４２８の周囲を囲むような空間を形成しており、この空間によって流出孔４２８を覆う空気の壁が形成される。したがって、この空間によっても、流出孔４２８へ流水が進入するのを防止することができる。
【００３５】
以上、本発明の実施形態について説明したが、本発明は上記各実施形態に限定されるものではなく、その趣旨を逸脱しない限りにおいて、種々の変更が可能である。
【００３６】
例えば、上記実施形態では、流出孔４２８の前後を囲むように、周壁４３１，４３５を設けているが、周壁は流出孔４２８の周縁全体を囲まなくてもよく、流出孔４２８の周縁の一部に周壁を設けることもできる。また、上記実施形態では、第１周壁４３１に連続して突条部４３２を設けていたが、図１０に示すように、第１周壁４３１を設けず、流出孔４２８の周縁に直接突条部４３２を設けることもできる。さらに、図１１に示すように、周壁４３１，４３５の内壁面に裾広がりのテーパを形成することもできる。こうすることで、流出孔４２８から排出される薬液の流路が広くなる。これにより、薬液が受ける抵抗が小さくなり、薬液が排出されやすくなる。したがって、薬液が流出孔４２８の周縁に留まるのを防止することができ、支持プレート２１上へ薬液をスムーズに供給することができる。
【００３７】
また、上記実施形態では、突条部４３２には下向きの溝を形成しているが、支持プレート２１に向かう溝であれば、その方向は特には限定されない。例えば、図１１に示すように、支持プレート２１に向かって斜め下向きに溝を形成してもよい。さらに、上述した周壁のうち、リム側に配置された第１周壁４３１の内壁面に沿って溝を形成することもできる。こうすることで、薬液の排出が加速され、支持プレート２１または突条部４３２によりスムーズに薬液を供給することができる。なお、溝の形状は下向きであれば、その角度は特には限定されない。
【００３８】
また、案内溝４２６の位置は特には限定されず、連通管４２４の外周面のいずれの位置に形成されていてもよい。また、延長路４２７は、上記実施形態のように、円弧を描くように形成されているが、下方に向かう案内溝４２６から略水平方向に延びていればその形状と特には限定されず、直線状であってもよい。また、その数も１つまたは３つ以上設けることもできる。さらに、上記実施形態では、２つの延長路４２７が１つの流出孔４２８で合流するように形成されているが、複数の流出孔を設けてもよい。また、案内溝４２６についても、複数設けることもでき、また上記各実施形態では、溝を利用して案内路を形成しているが、管部材を用いてもよい。
【００３９】
また、上記支持プレートは、図１２に示すように、構成することもできる。図１２は、支持プレート２１の平面図である。同図に示すように、この例では、支持プレート２１上に形成された支柱２４の両側に、支持プレート２１の幅方向に延びる規制壁２９が設けられている。この規制壁２９は、支柱２４の両側から支持プレート２１の基部２１１の両端部に向かい、その両端部からわずかな隙間２８を形成するように延びている。これにより、流出孔４２８から突条部４３２を介して支持プレート２１上に供給された薬液は、規制壁２９によって流路が規制されるため、上述した隙間２８を通過して支持プレート２１の可動部２１２側へ流れる。このように、リム側に向かう薬液の流路が規制されるため、薬液が過剰に流れ出すのを防止することができる。その結果、薬液が早期に使い切られるのを防止することができる。なお、規制壁２９の数、位置は特には限定されず、薬液の流路の一部を規制できるように配置されていればよい。
【図面の簡単な説明】
【００４０】
【図１】本発明に係る薬液供給装置の一実施形態を示す斜視図である。
【図２】図１の断面図である。
【図３】図２のＡ−Ａ線における図１の断面図である。
【図４】図１の平面図である。
【図５】図１の分解斜視図である。
【図６】下部材の斜視図、平面図、正面図及び底面図である。
【図７】下部材の一部斜視図、及びそのＢ−Ｂ線断面図である。
【図８】図１の薬液供給装置の使用状態を示す側面図である。
【図９】第２周壁の他の例を示す縦断面図である。
【図１０】流出孔付近の他の例を示す断面図である。
【図１１】流出孔付近の他の例を示す断面図である。
【図１２】支持プレートの他の例を示す平面図である。
【符号の説明】
【００４１】
１、１００    薬液容器
２１  支持プレート
２９  規制壁
３    吊掛部材
４    薬液排出機構
４２６  案内溝（案内路）
４２７  延長路
４２８    流出孔
４３１  第１周壁
４３５  第２周壁
【図１】
2010084449.tif 000003
【図２】
2010084449.tif 000004
【図３】
2010084449.tif 000005
【図４】
2010084449.tif 000006
【図５】
2010084449.tif 000007
【図６】
2010084449.tif 000008
【図７】
2010084449.tif 000009
【図８】
2010084449.tif 000010
【図９】
2010084449.tif 000011
【図１０】
2010084449.tif 000012
【図１１】
2010084449.tif 000013
【図１２】
2010084449.tif 000014